(57)【要約】  車両用画像取得装置（２）は、所定方向にパルス光を発光する発光部（５）と、ターゲット距離領域に応じて設定される撮像タイミングでターゲット距離領域から帰ってくる反射光を撮像し、ターゲット距離領域の異なる複数の撮像画像を取得する画像取得部（８）と、パルス光の発光周期および撮像タイミングを制御するタイミング制御部（９）と、を備えている。タイミング制御部（９）は、発光インターバル時間ｔＰが、発光部（５）の発光開始時点から画像取得部（８）の撮像開始時点までの時間であるディレイ時間であってターゲット距離領域のうち反射光を撮像可能な最長距離領域ｎを撮像するために必要なディレイ時間ｔＤｚよりも長くなるように発光インターバル時間ｔＰを設定する。
2017110417.tif 000002
【特許請求の範囲】
【請求項１】
所定方向にパルス光を発光する発光部と、
ターゲット距離領域に応じて設定される撮像タイミングで前記ターゲット距離領域から帰ってくる反射光を撮像し、ターゲット距離領域の異なる複数の撮像画像を取得する画像取得部と、
前記パルス光の発光周期および前記撮像タイミングを制御するタイミング制御部と、
を備え、
前記タイミング制御部は、前記発光インターバル時間が、前記発光部の発光開始時点から前記画像取得部の撮像開始時点までの時間であるディレイ時間であって前記ターゲット距離領域のうち前記反射光を撮像可能な最長距離領域を撮像するために必要なディレイ時間よりも長くなるように前記発光インターバル時間を設定する、車両用画像取得装置。
【請求項２】
前記最長距離領域を撮像するために必要なディレイ時間は、前記パルス光の発光強度および拡散角と前記画像取得部の感度とから定められる、請求項１に記載の車両用画像取得装置。
【請求項３】
前記発光部は、前記ターゲット距離領域のうち、近距離領域の撮影時ほど前記発光強度を弱くし、遠距離領域の撮影時ほど前記発光強度を強くする、請求項２に記載の車両用画像取得装置。
【請求項４】
所定方向にパルス光を発光する発光部と、ターゲット距離領域に応じて設定される撮像タイミングで前記ターゲット距離領域から帰ってくる反射光を撮像してターゲット距離領域の異なる複数の撮像画像を取得する画像取得部とを備えた車両用画像取得装置を制御するための制御装置であって、
前記発光インターバル時間が、前記発光部の発光開始時点から前記画像取得部の撮像開始時点までの時間であるディレイ時間であって前記ターゲット距離領域のうち前記反射光を撮像可能な最長距離領域を撮像するために必要なディレイ時間よりも長くなるように前記発光インターバル時間を設定する、制御装置。
【請求項５】
請求項１から３のいずれか一項に記載の車両用画像取得装置、または請求項４に記載の制御装置を備えている、車両。
【請求項６】
撮像タイミングを変化させながら所定方向に発光されるパルス光の反射光を撮像することで、ターゲット距離領域の異なる複数の撮像画像を取得する、車両用画像取得方法であって、
前記パルス光の発光周期を示す発光インターバル時間が、前記パルス光の発光開始時点から前記反射光の撮像開始時点までの時間であるディレイ時間であって前記ターゲット距離領域のうち前記反射光を撮像可能な最長距離領域を撮像するために必要なディレイ時間よりも長くなるように前記発光インターバル時間を設定する、車両用画像取得方法。
【請求項７】
所定方向にパルス光を発光する発光部と、
ターゲット距離領域に応じて設定される撮像タイミングで前記ターゲット距離領域から帰ってくる反射光を撮像し、ターゲット距離領域の異なる複数の撮像画像を取得する画像取得部と、
前記パルス光の発光周期および前記撮像タイミングを制御するタイミング制御部と、
を備え、
前記画像取得部は、前記複数の撮像画像から前記ターゲット距離領域に対する暗度を判定して視認不能なターゲット距離領域を測定することにより視界情報を取得する、車両用画像取得装置。
【請求項８】
前記暗度は、各撮像画像の輝度に対して閾値を設けることで判定される、請求項７に記載の車両用画像取得装置。
【請求項９】
前記画像取得部は、前記視界情報を車両の運転を制御する統合制御部へ送信可能である、請求項７または８に記載の車両用画像取得装置。
【請求項１０】
所定方向にパルス光を発光する発光部と、ターゲット距離領域に応じて設定される撮像タイミングで前記ターゲット距離領域から帰ってくる反射光を撮像してターゲット距離領域の異なる複数の撮像画像を取得する画像取得部とを備えた車両用画像取得装置を制御するための制御装置であって、
前記複数の撮像画像から前記ターゲット距離領域に対する暗度を判定して視認不能なターゲット距離領域を測定することにより視界情報を取得するように、前記画像取得部を制御する、制御装置。
【請求項１１】
請求項７から９のいずれか一項に記載の車両用画像取得装置、または請求項１０に記載の制御装置と、
前記画像取得部または前記制御装置と通信可能な統合制御部と、を備えた車両であって、
前記統合制御部は、前記視界情報に基づいて車両の走行速度の制御あるいは運転者への報知を行う、車両。
【請求項１２】
撮像タイミングを変化させながら所定方向に発光されるパルス光の反射光を撮像することで、ターゲット距離領域の異なる複数の撮像画像を取得する、車両用画像取得方法であって、
前記複数の撮像画像から前記ターゲット距離領域に対する暗度を判定して視認不能なターゲット距離領域を測定することにより視界情報を取得する、車両用画像取得方法。
【請求項１３】
所定方向にパルス光を発光する発光部と、
ターゲット距離領域に応じて設定される撮像タイミングで前記ターゲット距離領域から帰ってくる反射光を撮像し、ターゲット距離領域の異なる複数の撮像画像を取得する画像取得部と、
前記パルス光の発光周期および前記撮像タイミングを制御するタイミング制御部と、
を備え、
前記発光部は、前記ターゲット距離領域のうち、遠方領域を撮像する場合の前記パルス光の発光強度が、近傍領域を撮像する場合の前記発光強度よりも高くなるように制御される、車両用画像取得装置。
【請求項１４】
前記発光強度は、前記ターゲット距離領域の距離に応じてリニアに変化可能である、請求項１３に記載の車両用画像取得装置。
【請求項１５】
所定方向にパルス光を発光する発光部と、
ターゲット距離領域に応じて設定される撮像タイミングで前記ターゲット距離領域から帰ってくる反射光を撮像し、ターゲット距離領域の異なる複数の撮像画像を取得する画像取得部と、
前記パルス光の発光周期および前記撮像タイミングを制御するタイミング制御部と、
を備え、
前記発光部は、前記ターゲット距離領域のうち、遠方領域を撮像する場合の前記パルス光の発光時間が、近傍領域を撮像する場合の前記発光時間よりも長くなるように制御される、車両用画像取得装置。
【請求項１６】
前記発光時間は、前記ターゲット距離領域の距離に応じてリニアに変化可能である、請求項１５に記載の車両用画像取得装置。
【請求項１７】
所定方向にパルス光を発光する発光部と、
ターゲット距離領域に応じて設定される撮像タイミングで前記ターゲット距離領域から帰ってくる反射光を撮像し、ターゲット距離領域の異なる複数の撮像画像を取得する画像取得部と、
前記パルス光の発光周期および前記撮像タイミングを制御するタイミング制御部と、
を備え、
前記ターゲット距離領域のうち、遠方領域を撮像する場合の前記パルス光の発光回数および前記反射光の撮像回数が、近傍領域を撮像する場合の前記発光回数および前記撮像回数よりも多くなるように、前記発光部および前記撮像部が制御される、車両用画像取得装置。
【請求項１８】
前記発光回数および前記撮像回数は、前記ターゲット距離領域の距離に応じてリニアに変更可能である、請求項１７に記載の車両用画像取得装置。
【請求項１９】
所定方向にパルス光を発光する発光部と、ターゲット距離領域に応じて設定される撮像タイミングで前記ターゲット距離領域から帰ってくる反射光を撮像してターゲット距離領域の異なる複数の撮像画像を取得する画像取得部とを備えた車両用画像取得装置を制御するための制御装置であって、
前記ターゲット距離領域のうち遠方領域を撮像する場合の前記パルス光の発光強度が近傍領域を撮像する場合の前記発光強度よりも高くなるように前記発光強度を制御すること、前記遠方領域を撮像する場合の前記パルス光の発光時間が前記近傍領域を撮像する場合の前記発光時間よりも長くなるように前記発光時間を制御すること、および、前記遠方領域を撮像する場合の前記パルス光の発光回数および前記反射光の撮像回数が前記近傍領域を撮像する場合の前記発光回数および前記撮像回数よりも多くなるように前記発光回数および前記撮像回数を制御することのうち少なくともいずれか一つを行う、制御装置。
【請求項２０】
請求項１３から１８のいずれか一項に記載の車両用画像取得装置、または請求項１９に記載の制御装置と、
前記画像取得部により取得された複数の撮像画像が合成された合成画像を表示可能な表示部と、を備えている、車両。
【請求項２１】
撮像タイミングを変化させながら所定方向に発光されるパルス光の反射光を撮像することで、ターゲット距離領域の異なる複数の撮像画像を取得する、車両用画像取得方法であって、
前記ターゲット距離領域のうち遠方領域を撮像する場合の前記パルス光の発光強度が近傍領域を撮像する場合の前記発光強度よりも高くなるように前記発光強度を制御するステップ、前記遠方領域を撮像する場合の前記パルス光の発光時間が前記近傍領域を撮像する場合の前記発光時間よりも長くなるように前記発光時間を制御するステップ、および、前記遠方領域を撮像する場合の前記パルス光の発光回数および前記反射光の撮像回数が前記近傍領域を撮像する場合の前記発光回数および前記撮像回数よりも多くなるように前記発光回数および前記撮像回数を制御するステップのうち少なくともいずれか一つを行う、車両用画像取得方法。
【発明の詳細な説明】
【技術分野】
【０００１】
本開示は、車両用画像取得装置、制御装置、車両用画像取得装置または制御装置を備えた車両および車両用画像取得方法に関する。
【背景技術】
【０００２】
特許文献１には、自車両前方に所定周期でパルス光を投光し、ターゲット距離に応じて設定される撮像タイミングでターゲット距離からの反射光を撮像し、それにより得られたターゲット距離の異なる複数の撮像画像における同一画素の輝度に基づいて、画素毎の物体までの距離を表す距離画像データを生成する、車両用距離画像データ生成装置が開示されている。【０００３】
また、特許文献２は、視界における霧等の有無を判定するために、照明装置が車両の外部を照射しているときに、車載カメラによって撮像された画像における非照射領域の輝度勾配に基づいて車両外部の視界状況を判定する車両用視界状況判定装置を開示している。【０００４】
さらに、車両の自動制御やドライバへの運転支援等を行うために例えば夜間に自車両周辺の撮影を行う場合には、ヘッドランプ等の夜間照明光の反射光を車載カメラで撮影して自車両の周辺環境を認識する装置が知られている。また、これらの装置において、ヘッドランプ等の直接視界確保用夜間照明だけでは車載用カメラが映像を撮影するのに必要な撮像照度が得られないときには、補助照明器を追加した車両走行状態検出装置が利用されることがある（例えば、特許文献３参照）。
【先行技術文献】
【特許文献】
【０００５】
【特許文献１】日本国特開２００９−２５７９８３号公報
【特許文献２】日本国特開２００８−３３８７２号公報
【特許文献３】日本国特開２００５−２７１８３６号公報
【発明の概要】
【発明が解決しようとする課題】
【０００６】
特許文献１に記載のような車両用距離画像データ生成装置においては、撮影したい距離範囲（例えば、自車両前方の０ｍ〜２００ｍ）を、所定の距離分解能で撮影する。この所望の距離範囲および所定の距離分解能は、パルス光の発光時間や反射光の撮像（露光）時間、および発光開始時点から露光開始時点までのディレイ時間によって決まる。一つのフレーム内でできるだけ明るく（高輝度に）撮影するためには、発光と露光とを数多く繰り返すことが望ましい。そのためには、発光および露光のインターバル時間をできるだけ短くすることが考え得る。しかし、インターバル時間を短くすると、所望のターゲット距離の発光による反射光だけでなく、当該所望のターゲット距離のひとつ前のターゲット距離の発光による反射光まで撮像することで、不要なターゲット距離の撮像画像を取得してしまう可能性がある。【０００７】
また、上記特許文献２に記載の車両用視界状況判定装置においては、霧の有無を判定するのみであって、霧の深さに関する情報まで取得できるものではない。【０００８】
また、特許文献３のように夜間照明光を用いて車載カメラにより撮影を行う場合、照明光源の近傍領域は反射光量が多いため撮影される画像は明るいが、照明光源の遠方領域は反射光量が少ないため撮影される画像は暗くなってしまう。【０００９】
本開示の第一の目的は、不要なターゲット距離領域の撮像画像を取得することを防止可能な車両用画像取得装置、制御装置、車両用画像取得装置または制御装置を備えた車両および車両用画像取得方法を提供することにある。【００１０】
また、本開示の第二の目的は、特に悪天候時において詳細な視界情報を取得可能な車両用画像取得装置、制御装置、車両用画像取得装置または制御装置を備えた車両および車両用画像取得方法を提供することにある。【００１１】
さらに、本開示の第三の目的は、自車両の近傍領域と遠方領域とを同等コントラストで撮像可能な車両用画像取得装置、制御装置、車両用画像取得装置または制御装置を備えた車両および車両用画像取得方法を提供することにある。
【課題を解決するための手段】
【００１２】
上記第一の目的を達成するため、本開示の車両用画像取得装置は、
所定方向にパルス光を発光する発光部と、
ターゲット距離領域に応じて設定される撮像タイミングで前記ターゲット距離領域から帰ってくる反射光を撮像し、ターゲット距離領域の異なる複数の撮像画像を取得する画像取得部と、
前記パルス光の発光周期および前記撮像タイミングを制御するタイミング制御部と、
を備え、
前記タイミング制御部は、前記発光インターバル時間が、前記発光部の発光開始時点から前記画像取得部の撮像開始時点までの時間であるディレイ時間であって前記ターゲット距離領域のうち前記反射光を撮像可能な最長距離領域を撮像するために必要なディレイ時間よりも長くなるように前記発光インターバル時間を設定する。【００１３】
上記構成によれば、不要なターゲット距離領域の撮像画像を取得してしまうことを防止することができる。【００１４】
前記最長距離領域を撮像するために必要なディレイ時間は、前記パルス光の発光強度および拡散角と前記画像取得部の感度とから定められても良い。【００１５】
上記記載のパラメータを用いることで最長距離領域を撮像可能なディレイ時間を容易に算出することができる。【００１６】
前記発光部は、前記ターゲット距離領域のうち、近距離領域の撮影時ほど前記発光強度を弱くし、遠距離領域の撮影時ほど前記発光強度を強くしても良い。【００１７】
上記構成によれば、近距離領域に比べて遠距離領域の画像が暗くなってしまうのを防止することができる。【００１８】
また、上記第一の目的を達成するため、本開示の制御装置は、
所定方向にパルス光を発光する発光部と、ターゲット距離領域に応じて設定される撮像タイミングで前記ターゲット距離領域から帰ってくる反射光を撮像してターゲット距離領域の異なる複数の撮像画像を取得する画像取得部とを備えた車両用画像取得装置を制御するための制御装置であって、
前記発光インターバル時間が、前記発光部の発光開始時点から前記画像取得部の撮像開始時点までの時間であるディレイ時間であって前記ターゲット距離領域のうち前記反射光を撮像可能な最長距離領域を撮像するために必要なディレイ時間よりも長くなるように前記発光インターバル時間を設定する。【００１９】
上記構成によれば、不要なターゲット距離領域の撮像画像を取得してしまうことを防止することができる。【００２０】
また、上記第一の目的を達成するため、本開示の車両は、上記に記載の車両用画像取得装置、または制御装置を備えている。【００２１】
上記構成によれば、例えば自動運転システムを搭載した車両における安全性を高めることができる。【００２２】
また、上記第一の目的を達成するため、本開示の車両用画像取得方法は、
撮像タイミングを変化させながら所定方向に発光されるパルス光の反射光を撮像することで、ターゲット距離領域の異なる複数の撮像画像を取得する、車両用画像取得方法であって、
前記パルス光の発光周期を示す発光インターバル時間が、前記パルス光の発光開始時点から前記反射光の撮像開始時点までの時間であるディレイ時間であって前記ターゲット距離領域のうち前記反射光を撮像可能な最長距離領域を撮像するために必要なディレイ時間よりも長くなるように前記発光インターバル時間を設定する。【００２３】
上記構成によれば、不要なターゲット距離領域の撮像画像を取得してしまうことを防止することができる。【００２４】
上記第二の目的を達成するため、本開示の車両用画像取得装置は、
所定方向にパルス光を発光する発光部と、
ターゲット距離領域に応じて設定される撮像タイミングで前記ターゲット距離領域から帰ってくる反射光を撮像し、ターゲット距離領域の異なる複数の撮像画像を取得する画像取得部と、
前記パルス光の発光周期および前記撮像タイミングを制御するタイミング制御部と、
を備え、
前記画像取得部は、前記複数の撮像画像から前記ターゲット距離領域に対する暗度を判定して視認不能なターゲット距離領域を測定することにより視界情報を取得する。【００２５】
上記構成によれば、悪天候時の視界情報、特に霧発生時における霧の深さに関する情報を取得することができる。【００２６】
前記暗度は、各撮像画像の輝度に対して閾値を設けることで判定されても良い。【００２７】
上記構成によれば、容易な方法で霧の深さを判定することができる。【００２８】
前記画像取得部は、前記視界情報を車両の運転を制御する統合制御部へ送信可能であっても良い。【００２９】
上記構成によれば、霧等の発生時に取得された視界情報を車両の運転制御に活用することができる。【００３０】
また、上記第二の目的を達成するため、本開示の制御装置は、
所定方向にパルス光を発光する発光部と、ターゲット距離領域に応じて設定される撮像タイミングで前記ターゲット距離領域から帰ってくる反射光を撮像してターゲット距離領域の異なる複数の撮像画像を取得する画像取得部とを備えた車両用画像取得装置を制御するための制御装置であって、
前記複数の撮像画像から前記ターゲット距離領域に対する暗度を判定して視認不能なターゲット距離領域を測定することにより視界情報を取得するように、前記画像取得部を制御する。【００３１】
上記構成によれば、悪天候時の視界情報、特に霧発生時における霧の深さに関する情報を取得することができる。【００３２】
また、上記第二の目的を達成するため、本開示の車両は、
上記に記載の車両用画像取得装置または制御装置と、
前記画像取得部または前記制御装置と通信可能な統合制御部と、を備えた車両であって、
前記統合制御部は、前記視界情報に基づいて車両の走行速度の制御あるいは運転者への報知を行う。【００３３】
上記構成によれば、霧等の発生時に取得された視界情報を車両の安全走行あるいは自動運転等に活用することができる。【００３４】
また、上記第二の目的を達成するため、本開示の車両用画像取得方法は、
撮像タイミングを変化させながら所定方向に発光されるパルス光の反射光を撮像することで、ターゲット距離領域の異なる複数の撮像画像を取得する、車両用画像取得方法であって、
前記複数の撮像画像から前記ターゲット距離領域に対する暗度を判定して視認不能なターゲット距離領域を測定することにより視界情報を取得する。【００３５】
上記構成によれば、悪天候時の視界情報、特に霧発生時における霧の深さに関する情報を取得することができる。【００３６】
上記第三の目的を達成するため、本開示の車両用画像取得装置は、
所定方向にパルス光を発光する発光部と、
ターゲット距離領域に応じて設定される撮像タイミングで前記ターゲット距離領域から帰ってくる反射光を撮像し、ターゲット距離領域の異なる複数の撮像画像を取得する画像取得部と、
前記パルス光の発光周期および前記撮像タイミングを制御するタイミング制御部と、
を備え、
前記発光部は、前記ターゲット距離領域のうち、遠方領域を撮像する場合の前記パルス光の発光強度が、近傍領域を撮像する場合の前記発光強度よりも高くなるように制御される。【００３７】
上記構成によれば、近傍領域と遠方領域とを同等コントラストで撮像することが可能となり、良好な画像を取得することができる。【００３８】
前記発光強度は、前記ターゲット距離領域の距離に応じてリニアに変化可能であっても良い。【００３９】
上記構成によれば、ターゲット距離領域の全範囲にわたって均一なコントラストの画像を取得することができる。【００４０】
上記第三の目的を達成するため、本開示の別の例に係る車両用画像取得装置は、
所定方向にパルス光を発光する発光部と、
ターゲット距離領域に応じて設定される撮像タイミングで前記ターゲット距離領域から帰ってくる反射光を撮像し、ターゲット距離領域の異なる複数の撮像画像を取得する画像取得部と、
前記パルス光の発光周期および前記撮像タイミングを制御するタイミング制御部と、
を備え、
前記発光部は、前記ターゲット距離領域のうち、遠方領域を撮像する場合の前記パルス光の発光時間が、近傍領域を撮像する場合の前記発光時間よりも長くなるように制御される。【００４１】
上記構成によれば、近傍領域と遠方領域とを同等コントラストで撮像することが可能となり、良好な画像を取得することができる。【００４２】
前記発光時間は、前記ターゲット距離領域の距離に応じてリニアに変化可能であっても良い。【００４３】
上記構成によれば、ターゲット距離領域の全範囲にわたって均一なコントラストの影像を取得することができる。【００４４】
上記第三の目的を達成するため、本開示のさらに別の例に係る車両用画像取得装置は、
所定方向にパルス光を発光する発光部と、
ターゲット距離領域に応じて設定される撮像タイミングで前記ターゲット距離領域から帰ってくる反射光を撮像し、ターゲット距離領域の異なる複数の撮像画像を取得する画像取得部と、
前記パルス光の発光周期および前記撮像タイミングを制御するタイミング制御部と、
を備え、
前記ターゲット距離領域のうち、遠方領域を撮像する場合の前記パルス光の発光回数および前記反射光の撮像回数が、近傍領域を撮像する場合の前記発光回数および前記撮像回数よりも多くなるように、前記発光部および前記撮像部が制御される。【００４５】
上記構成によれば、近傍領域と遠方領域とを同等コントラストで撮像することが可能となり、良好な画像を取得することができる。【００４６】
前記発光回数および前記撮像回数は、前記ターゲット距離領域の距離に応じてリニアに変更可能であっても良い。【００４７】
上記構成によれば、ターゲット距離領域の全範囲にわたって均一なコントラストの画像を取得することができる。【００４８】
上記第三の目的を達成するため、本開示の制御装置は、
所定方向にパルス光を発光する発光部と、ターゲット距離領域に応じて設定される撮像タイミングで前記ターゲット距離領域から帰ってくる反射光を撮像してターゲット距離領域の異なる複数の撮像画像を取得する画像取得部とを備えた車両用画像取得装置を制御するための制御装置であって、
前記ターゲット距離領域のうち遠方領域を撮像する場合の前記パルス光の発光強度が近傍領域を撮像する場合の前記発光強度よりも高くなるように前記発光強度を制御すること、前記遠方領域を撮像する場合の前記パルス光の発光時間が前記近傍領域を撮像する場合の前記発光時間よりも長くなるように前記発光時間を制御すること、および、前記遠方領域を撮像する場合の前記パルス光の発光回数および前記反射光の撮像回数が前記近傍領域を撮像する場合の前記発光回数および前記撮像回数よりも多くなるように前記発光回数および前記撮像回数を制御することのうち少なくともいずれか一つを行う。【００４９】
上記構成によれば、近傍領域と遠方領域とを同等コントラストで撮像することが可能となり、良好な画像を取得することができる。【００５０】
上記第三の目的を達成するため、本開示の車両は、
上記のいずれかに記載の車両用画像取得装置または制御装置と、
前記画像取得部により取得された複数の撮像画像が合成された合成画像を表示可能な表示部と、を備えている。【００５１】
上記構成によれば、均一コントラストの合成画像を表示部に表示させることで、夜間や雨天時などのドライバへの運転支援に寄与することができる。【００５２】
上記第三の目的を達成するため、本開示に係る車両用画像取得方法は、
撮像タイミングを変化させながら所定方向に発光されるパルス光の反射光を撮像することで、ターゲット距離領域の異なる複数の撮像画像を取得する、車両用画像取得方法であって、
前記ターゲット距離領域のうち遠方領域を撮像する場合の前記パルス光の発光強度が近傍領域を撮像する場合の前記発光強度よりも高くなるように前記発光強度を制御するステップ、前記遠方領域を撮像する場合の前記パルス光の発光時間が前記近傍領域を撮像する場合の前記発光時間よりも長くなるように前記発光時間を制御するステップ、および、前記遠方領域を撮像する場合の前記パルス光の発光回数および前記反射光の撮像回数が前記近傍領域を撮像する場合の前記発光回数および前記撮像回数よりも多くなるように前記発光回数および前記撮像回数を制御するステップのうち少なくともいずれか一つを行う。【００５３】
上記構成によれば、近傍領域と遠方領域とを同等コントラストで撮像することが可能となり、良好な画像を取得することができる。
【発明の効果】
【００５４】
本開示によれば、不要なターゲット距離領域の撮像画像を取得することを防止可能な車両用画像取得装置、制御装置、車両用画像取得装置または制御装置を備えた車両および車両用画像取得方法を提供することができる。【００５５】
また、本開示によれば、特に悪天候時において詳細な視界情報を取得可能な車両用画像取得装置、制御装置、車両用画像取得装置または制御装置を備えた車両および車両用画像取得方法を提供することができる。【００５６】
また、本開示によれば、自車両の近傍領域と遠方領域とを同等コントラストで撮像可能な車両用画像取得装置、制御装置、車両用画像取得装置または制御装置を備えた車両および車両用画像取得方法を提供することができる。
【図面の簡単な説明】
【００５７】
【図１】本実施形態の障害物検出装置の構成を示すブロック図である。
【図２】各ターゲット距離領域を撮像する際の、発光部の動作（発光動作）とゲートの動作（カメラゲート動作）との時間的な関係を示す図である。
【図３】自車両前方の異なる位置に４つの異なる物体が存在している状況を示す図である。
【図４】撮像領域の一部がオーバーラップする状態を示す図である。
【図５】各物体に対応する画素の時間的な輝度変化を示す模式図である。
【図６】発光／露光時間と距離分解能との関係を説明するための図である。
【図７】発光インターバル時間を短くした場合の課題を説明するための図である。
【図８】実施例１に係る発光インターバル時間および撮像タイミングを示すタイミングチャートである。
【図９】実施例２に係る、発光周期および撮像タイミングと撮像画像とを示す図である。
【図１０】実施例２に係る、霧の濃さに応じて変化する撮像画像の明るさと自車両からの距離との関係を示すグラフである。
【図１１】車両前方を光照射して撮像したときの従来例に係る撮像画像のイメージ図である。
【図１２】実施例３に係る発光周期および撮像周期のタイミングチャートであって、特に発光強度が変化する例を示す図である。
【図１３】実施例３に係る近傍画像および遠方画像と、近傍画像と遠方画像を合成した合成画像のイメージ図である。
【図１４】実施例３に係る合成画像が適用される例を示す図である。
【図１５】実施例４に係る発光周期および撮像周期のタイミングチャートであって、特に発光時間が変化する例を示す図である。
【図１６】実施例５に係る発光周期および撮像周期のタイミングチャートであって、特に発光回数および撮像回数が変化する例を示す図である。
【発明を実施するための形態】
【００５８】
以下、本実施形態の一例について、図面を参照して詳細に説明する。
【００５９】
図１は、車両用画像取得装置を適用した本実施形態に係る障害物検出装置の構成を示すブロック図である。図２は、各ターゲット距離領域を撮像する際の、発光部の動作（発光動作）とゲートの動作（カメラゲート動作）との時間的な関係を示す模式図である。
【００６０】
図１に示されるように、車両Ｖ（自車両）に設けられる障害物検出装置１は、画像取得装置２と、画像取得装置２と通信可能な統合制御部１００とを備えている。統合制御部１００は、車両Ｖの運転を制御する車両用ＥＣＵとして機能するものであり、本実施形態においては、例えば、画像処理部３と、物体認識処理部４と判断部１０とを備えている。
【００６１】
画像取得装置２は、発光部５と、対物レンズ６と、光増倍部７と、高速度カメラ（画像取得部）８と、タイミングコントローラ（タイミング制御部）９とを備えている。
【００６２】
発光部５は、例えば、車両Ｖの前端部に配置した近赤外線ＬＥＤである。図２に示されるように、発光部５は、タイミングコントローラ９から出力されるパルス信号に応じて、所定の発光時間ｔＬ（例えば、５ｎｓ）の間、所定方向（例えば、車両Ｖの前方）にパルス光を出射する。発光部５から照射されるパルス光の発光周期ｔＰは、例えば、１０μｓ以下の間隔とする。
【００６３】
対物レンズ６は、例えば、車両Ｖ前方の所定範囲を撮像できる画角とするように設定された光学系であって、物体からの反射光を受光する。対物レンズ６は、発光部５と近接して配置されていても良く、離隔して配置されていても良い。
【００６４】
光増倍部７は、ゲート７ａとイメージインテンシファイア７ｂとを備えている。
ゲート７ａは、タイミングコントローラ９からの開閉指令信号に応じて開閉する。本実施形態では、ゲート７ａの開放時間（ゲート時間）ｔＧを、発光時間ｔＬと同じ５ｎｓとしている。ゲート時間ｔＧは、領域１から領域ｎまでの全撮像領域における各領域（ターゲット距離領域）の撮像対象長さ（撮像対象深さ）に比例する。ゲート時間ｔＧを長くするほど各領域の撮像対象長さは長くなる。撮像対象長さは、光速度×ゲート時間ｔＧから求められ、本実施形態では、ゲート時間ｔＧ＝５ｎｓとしているため、撮像対象長さは、「光速度（約３×１０８ｍ／ｓ）×ゲート時間（５ｎｓ）」より、１．５ｍとなる。
イメージインテンシファイア７ｂは、極微弱な光（物体からの反射光等）を一旦電子に変換して電気的に増幅し、再度蛍光像に戻すことで光量を倍増してコントラストのついた像を見るためのデバイスである。イメージインテンシファイア７ｂにより増幅された光は高速度カメラ８のイメージセンサに導かれる。
【００６５】
高速度カメラ８は、タイミングコントローラ９からの指令信号に応じて、光増倍部７から発せられた像を撮像し、取得した撮像画像を画像処理部３へ出力する。本実施形態では、解像度６４０×４８０（横：縦）、輝度値１〜２５５(２５６段階)、１００ｆｐｓ以上のカメラを用いている。
【００６６】
タイミングコントローラ９は、高速度カメラ８により撮像される撮像画像が、狙った撮像領域であるターゲット距離領域から帰ってくる反射光のタイミングとなるように、発光部５の発光開始時点からゲート７ａを開くまでの時間であるディレイ時間ｔＤ（図２では、ｔＤｎ，ｔＤｎ＋１）を設定し、ディレイ時間ｔＤに応じた開閉指令信号を出力することで、撮像タイミングを制御する。つまり、ディレイ時間ｔＤは、車両Ｖからターゲット距離領域までの距離（撮像対象距離）を決める値である。ディレイ時間ｔＤと撮像対象距離との関係は、以下の式（１）から求められる。
撮像対象距離＝光速度（約３×１０８ｍ／ｓ）×ディレイ時間ｔＤ／２  ・・・式（１）
【００６７】
タイミングコントローラ９は、ターゲット距離領域が車両Ｖの前方（遠方）へと連続的に離れるように、ディレイ時間ｔＤを所定間隔（例えば、１０ｎｓ）ずつ長くすることで、高速度カメラ８の撮像範囲を車両Ｖの前方側へ変化させる。なお、タイミングコントローラ９は、ゲート７ａが開く直前に高速度カメラ８の撮像動作を開始させ、ゲート７ａが完全に閉じた後に撮像動作を終了させる。
【００６８】
タイミングコントローラ９は、設定された所定のターゲット距離領域（領域１、領域２、…、領域ｎの各領域）毎に複数回の発光および露光を行うよう発光部５、ゲート７ａおよび高速度カメラ８を制御する。高速度カメラ８が受光した光は電荷に変換され、複数回の発光および露光を繰り返すことで蓄積される。所定の電荷蓄積時間ごとに得られる１枚の撮像画像をフレームと呼ぶ。なお、高速度カメラ８は、ターゲット距離領域ごとに１枚（１フレーム）ずつ撮像画像を取得しても良く、あるいは各ターゲット距離領域において複数の撮像画像（数フレーム）を取得しても良い。このようにして、高速度カメラ８は、ターゲット距離領域の異なる複数の撮像画像を取得し、取得した複数の撮像画像を画像処理部３へ出力する。
【００６９】
画像処理部３は、高速度カメラ８により撮像された全撮像領域の撮像画像における同一画素の輝度に基づいて、画素毎の物体（対象物）までの距離を表す距離画像データを生成し、生成した距離画像データを物体認識処理部４へ出力する。
【００７０】
物体認識処理部４は、距離画像データに含まれる物体を特定する。物体の特定方法は、パターンマッチング等、周知の技術を用いることができる。
【００７１】
判断部１０は、物体認識処理部４により特定された物体（人、自動車、標識等）と自車両（車両Ｖ）との関係（距離、方向等）を判断する。
【００７２】
次に、本実施形態に係る画像取得の作用を説明する。
［画像取得作用］
タイミングコントローラ９は、高速度カメラ８により撮像される撮像画像が、所定のターゲット距離領域から帰ってくる反射光のタイミングとなるように、ディレイ時間ｔＤを設定し、高速度カメラ８の撮像タイミングを制御する。ターゲット距離領域に物体が存在している場合、発光部５から出射された光がターゲット距離領域から戻ってくる時間は、車両Ｖとターゲット距離領域との間の距離（撮像対象距離）を光が往復する時間となるため、ディレイ時間ｔＤは、撮像対象距離と光速度から求めることができる。
【００７３】
上記方法で得られた高速度カメラ８の撮像画像において、ターゲット距離領域に物体が存在する場合、当該物体の位置に対応する画素の輝度値データは、反射光の影響を受け、他の画素の輝度値データよりも高い値を示す。これにより、各画素の輝度値データに基づいて、ターゲット距離領域に存在する物体との距離を求めることができる。
【００７４】
図３は、車両Ｖの前方の異なる位置に４つの物体Ａ〜Ｄが存在している状況を示している。物体Ａは傘をさした人物であり、物体Ｂは対向車線側のバイクであり、物体Ｃは歩道側の樹木であり、物体Ｄは対向車線側の車両（対向車）である。車両Ｖと各物体との距離の関係は、Ａ＜Ｂ＜Ｃ＜Ｄとする。
このとき、本実施形態では、１つの物体からの反射光が連続する複数の撮像領域における撮像画像の画素に反映されるように、撮像領域の一部をオーバーラップさせている。すなわち、図４に示すように、撮像対象距離をＢ１→Ｂ２→Ｂ３→…と連続的に変化させながら撮像する際、撮像領域の撮像対象長さＡよりも撮像対象距離の増加量（Ｂ２−Ｂ１）を短くすることで、撮像領域の一部がオーバーラップしながら変化するように撮像対象距離の増加量を設定している。
【００７５】
図５は、各物体に対応する画素の時間的な輝度変化を示している。
撮像領域の一部をオーバーラップさせることで、図５に示されるように、連続する複数の撮像画像における同一画素の輝度値は、徐々に増加し、各物体Ａ〜Ｄの位置でピークとなった後は徐々に小さくなる三角波状の特性を示す。このように、１つの物体からの反射光が複数の撮像画像に含まれるようにすることで、画素の時間的な輝度変化が三角波状となるため、当該三角波状のピークと対応する撮像領域を当該画素における車両Ｖから各物体（被写体）Ａ〜Ｄまでの距離とすることで、検出精度を高めることができる。
【００７６】
なお、上記実施形態に係る画像取得装置２を備えた障害物検出装置１を、いわゆるＡＨＢ（オートマチック・ハイビーム）システムやＡＤＢ（アダプティブ・ドライビング・ビーム）システムの配光制御に用いることができる。障害物検出装置１を車両Ｖに搭載される他のカメラセンサと併用することで、例えば、画像取得装置２にて得られたターゲット距離領域の異なる複数の撮像画像から車両Ｖ前方の物体の有無および距離を検出するとともに、他のカメラセンサで車両Ｖ前方の映像を取得する。カメラセンサで取得された映像の中の各光点の距離を画像取得装置２で取得した撮像画像から求め、各光点の距離、輝度、形状（光点とその周辺の形状）、時系列変化等から当該光点が車両か否かを判別することができる。このように、画像取得装置２と他のカメラセンサを併用することで、特に遠方の車両の検知を高精度かつ高速に行うことができ、ＡＨＢシステムやＡＤＢシステムの配光制御を好適に行うことができる。
【００７７】
［実施例１］
図６は、発光／露光時間と距離分解能との関係を説明するための図である。図６の（Ａ）は、パルス光のパルス幅（発光時間）および高速度カメラのゲート時間（露光時間）が比較的短い場合の距離分解能を示している。一方、図６の（Ｂ）は、パルス光のパルス幅（発光時間）および高速度カメラのゲート時間（露光時間）がそれぞれ（Ａ）のパルス幅およびゲート時間よりも長い場合の距離分解能を示している。また、図６の（Ｃ）および（Ｄ）には、発光／露光時間と撮像対象距離との関係が示されている。
上述の通り、撮像対象距離Ｌは「光速×ディレイ時間ｔＤ（図６の（Ｃ）および（Ｄ）における時間ｔＡ）／２」から求められる。すなわち、パルス光の発光終了時点から露光開始時点までの時間ｔＡ１が距離Ｌ１に相当し、パルス光の発光開始時点から露光終了時点までの時間ｔＡ２が距離Ｌ２に相当する。そのため、図６の（Ａ）のように発光時間および露光時間が短いほど、図６の（Ｃ）に示されるように撮像対象長さ（Ｌ２−Ｌ１）が短くなる、すなわち、距離分解能が高くなる。一方、図６の（Ｂ）のように発光時間および露光時間が長いほど、図６の（Ｄ）に示されるように撮像対象長さ（Ｌ２−Ｌ１）が長くなる、すなわち、距離分解能が低下することがわかる。したがって、発光時間および露光時間が短いほどターゲット距離の分解能を細かくし距離検出の精度を上げることができる。
【００７８】
図７は、発光インターバル時間を短くした場合の課題を説明するための図である。図７においては、第一発光ｔＬ１、第二発光ｔＬ２、第三発光ｔＬ３と、これら第一発光ｔＬ１〜第三発光ｔＬ３のそれぞれによる反射光を露光する第一露光ｔＧ１、第二露光ｔＧ２、第三露光ｔＧ３が図示されている。
ところで、１フレーム内でできるだけ明るく（高輝度に）撮影するためには、発光と露光とを数多く繰り返すことが望ましい。そのためには、図２に示されるパルス光の発光周期ｔＰ（とそれに追随する撮像周期）をできるだけ短くすることが考え得る。しかし、パルス光の発光周期（発光インターバル時間）ｔＰを短くし過ぎると、図７に示されるように、第一発光ｔＬ１による反射光を第一露光ｔＧ１で受光するだけでなく第二露光ｔＧ２でも受光してしまう。同様に、第二発光ｔＬ２による反射光を第二露光ｔＧ２だけでなく第三露光ｔＧ３でも受光してしまう。すなわち、発光インターバル時間ｔＰを短くし過ぎると、所望のターゲット距離の発光による反射光だけでなく、当該所望のターゲット距離のひとつ前のターゲット距離の発光による反射光まで撮像することで、不要なターゲット距離の撮像画像を取得してしまう可能性がある。
【００７９】
そこで、本出願の発明者は、上記事情を総合的に考慮して、発光インターバル時間ｔＰをディレイ時間ｔＤとの関係で適切に設定することで、不要なターゲット距離領域の撮像画像を取得してしまうことを防止できることを見出した。以下に、その方法について詳述する。
【００８０】
図８は、実施例１に係る発光インターバル時間および撮像タイミングを示すタイミングチャートである。
実施例１においては、図８に示されるように、領域１から領域ｎへと撮像対象距離が離れるにつれてディレイ時間ｔＤ１〜ｔＤｚは徐々に長くなる。このとき、タイミングコントローラ９は、発光インターバル時間ｔＰが、ターゲット距離領域のうち反射光を撮像可能な最長距離領域である領域ｎを撮像するために必要な最長ディレイ時間ｔＤｚよりも長くなるように発光インターバル時間ｔＰを設定する。例えば、ターゲット距離領域が車両Ｖから０〜２００ｍの範囲である場合、発光インターバル時間ｔＰは車両Ｖから２００ｍ離れた領域を撮像するために必要な最長ディレイ時間ｔＤｚよりも長くなるように設定される。
【００８１】
最長ディレイ時間ｔＤｚは、発光部５から出射されるパルス光の発光強度および当該パルス光の拡散角と高速度カメラ８（に備わるイメージセンサ）の感度とから定められる。発光部５からのパルス光は、発光部５の前方に向かって所定の水平角および垂直角に拡散されることにより、発光部５からの距離の２乗以上で減衰する。また、高速度カメラ８は、例えばＣＣＤ（Ｃｈａｒｇｅｄ  Ｃｏｕｐｌｅｄ  Ｄｅｖｉｃｅ）センサやＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）センサ等のイメージセンサ（撮像素子）を備えている。イメージセンサは、各露光動作により入射した光によって発生した電荷を蓄積して電気信号に変換して画像処理部１０へ出力する。車両Ｖからの距離に応じたパルス光の減衰量、および高速度カメラ８のイメージセンサの感度から、当該イメージセンサに電荷を蓄積することができない距離を算出することができる。本例では、このように算出された電荷が蓄積できない距離のパルス光のフライト時間を最長ディレイ時間ｔＤｚと設定している。
【００８２】
ところで、上記のような画像取得装置２ではターゲット距離領域を複数の撮像領域１〜ｎに分けてディレイ時間ｔＤ１〜ｔＤｚを変化させながら各撮像領域１〜ｎの撮像画像を取得している。このとき、撮像領域が車両Ｖから離れるにつれて徐々に反射光量が少なくなるため、近傍領域の物体の撮像画像よりも遠方領域の物体の撮像画像が暗くなってしまう。
【００８３】
そこで、実施例１においては、発光インターバル時間ｔＰが最長ディレイ時間ｔＤｚよりも長くなるように設定された状態で、ターゲット距離領域のうち遠距離領域を撮像する場合のパルス光の発光強度が近距離領域を撮像する場合の発光強度よりも高くなるように発光部５からのパルス発光が制御される（図８参照）。これにより、ターゲット距離領域が離れるにつれて発光強度を徐々に高くすることで、各領域を撮像する際の反射光量を均一化させることができる。パルス光の発光強度は、撮像対象距離が車両Ｖから離れるにつれて徐々に高くなるようにリニアに変化可能とされていることが好ましい。なお、ターゲット距離領域が車両Ｖから０〜２００ｍの範囲である場合、発光インターバル時間ｔＰは車両Ｖから２００ｍ離れた領域を撮像するために必要な最長ディレイ時間ｔＤｚよりも長くなるように設定される。そのため、パルス光の発光強度が必要以上に高いと、１回の露光で、露光直前の発光による反射光だけでなく、そのひとつ前の発光による反射光まで撮像してしまう可能性がある。そのため、パルス光は、露光直前の発光による反射光のみを撮像可能な発光強度で照射されることが望ましい。例えば、近距離領域（例えば、車両Ｖから１０ｍ程度）を撮像する際には、発光部５からのパルス光は、車両Ｖから２１０ｍの領域を撮像できない発光強度に設定される。また、遠距離領域（例えば、車両Ｖから１９０ｍ程度）を撮像する際には、発光部５からのパルス光は、近距離領域を撮像する際の発光強度よりも高く、かつ車両Ｖから３９０ｍの領域を撮像できない発光強度に設定される。
【００８４】
以上説明した実施例１の画像取得装置２によれば、以下に列挙する効果を奏する。
【００８５】
（１）タイミングコントローラ９は、発光インターバル時間ｔＰが、ターゲット距離領域のうち反射光を撮像可能な最長距離領域（例えば図９の領域ｎ）を撮像するために必要な最長ディレイ時間ｔＤｚよりも長くなるように発光インターバル時間ｔＰを設定する。この構成によれば、所望のターゲット距離の発光による反射光だけでなく当該所望のターゲット距離のひとつ前のターゲット距離の発光による反射光まで撮像してしまうことがなく、不要なターゲット距離領域の撮像画像を取得することを防止することができる。これにより、ノイズの混入を抑制でき、より高精度な距離情報を取得可能となる。
【００８６】
（２）最長ディレイ時間ｔＤｚは、パルス光の発光強度および拡散角と高速度カメラ８のイメージセンサの感度とから定められることが好ましい。最長ディレイ時間ｔＤｚの算出に上記のパラメータを用いることで最長ディレイ時間ｔＤｚを容易に算出することができる。
【００８７】
（３）発光部５は、ターゲット距離領域のうち、近距離領域の撮影時ほどパルス光の発光強度を弱くし、遠距離領域の撮影時ほどパルス光の発光強度を強くすることが好ましい。この構成によれば、各ターゲット距離領域を撮像する際の反射光量を均一化させることができ、各領域における撮像画像に存在する物体の位置に対応する画素の輝度の差を少なくすることができる。これにより、近距離領域に比べて遠距離領域の画像が暗くなってしまうのを防止することができる。
【００８８】
［実施例２］
次に、本実施形態の実施例２について、図９および図１０を参照して説明する。
図９は、実施例２に係る、発光周期および撮像タイミングと撮像画像とを示す図である。図１０は、実施例２に係る、霧の濃さに応じて変化する撮像画像の明るさと自車両からの距離との関係を示すグラフである。
【００８９】
上述の通り、撮像対象距離Ｌは「光速×ディレイ時間ｔＤ／２」から求められる。そのため、ディレイ時間ｔＤを徐々に変化させることで、異なる撮像対象距離に応じた撮像画像を取得することができる。実施例２では、画像処理部３は、図９に示すように、異なる撮像タイミング（露光１〜ｎ）で撮像された複数の画像１〜ｎを取得し、取得した画像１〜ｎのそれぞれの暗度（画像の暗さ）を判定する。なお、画像１〜ｎは、車両Ｖから距離が離れるにつれて徐々に暗度が高く（すなわち、明るさ（輝度）が低く）なるものである。
【００９０】
各画像１〜ｎの暗度は以下のように判定される。
図１０に示されるように、霧が無いか薄い場合は、車両Ｖからの距離が遠くなる（すなわち、パルス光の反射時間が長くなる）につれて緩やかに反射光量が少なくなり撮像画像の明るさ（輝度）が低くなる、すなわち、図９に示されるように緩やかに画像が暗くなる。一方、霧が濃い場合は、車両Ｖからある一定の距離まで離れると急激に反射光量が少なくなり撮像画像の明るさが低くなる（暗度が急激に高くなる）。この霧の深さと撮像画像の明るさ変化との関係から、高速度カメラ８により取得された複数の撮像画像を用いて車両Ｖからの視程を求めることができる。
【００９１】
以下に、車両Ｖからの視程算出方法を説明する。
画像処理部３は、例えば、取得した複数の撮像画像の輝度値に対して閾値を設けることで、撮像画像の暗度を判定する。ここで、画像処理部３は、例えば、車両Ｖからの距離に応じた撮像画像の実際の輝度値を、当該距離の撮像画像における最大輝度値（最大の明るさ）と比較する。最大輝度値は、例えば霧が無く晴天の場合に予測され得る最大の輝度値である。撮像画像の実際の輝度値が最大輝度値の例えば５０％以下である場合は、画像処理部３は、当該撮像画像に対応する距離を車両Ｖから視認不能な距離と判定する。画像処理部３は、この視認不能距離を含む視界情報を取得し、当該視界情報を車両Ｖの運転を制御する統合制御部１００（図１）へ送信する。なお、画像処理部３を介さず、画像取得部である高速度カメラ８が複数の撮像画像から視界情報を取得して、当該視界情報を統合制御部１００へ直接送信する構成としても良い。
【００９２】
統合制御部１００は、画像処理部３から受信した視界情報に基づき、車両Ｖの制限速度を演算し、当該制限速度に基づいて走行速度の制御を行うことができる。あるいは、統合制御部１００は、当該制限速度を安全速度として車両Ｖの運転者に報知しても良い。
【００９３】
以上説明した実施例２の画像取得装置２および統合制御部１００によれば、以下に列挙する効果を奏する。
【００９４】
（４）画像処理部３（または高速度カメラ８）は、高速度カメラ８により撮像された複数の撮像画像からターゲット距離領域に対する暗度を判定して視認不能なターゲット距離領域を測定することにより視界情報を取得する。この構成によれば、悪天候時の視界情報、特に霧発生時における霧の深さに関する情報を取得することができる。
【００９５】
（５）上記撮像画像の暗度は、撮像画像の輝度に対して閾値を設けることで判定されることが好ましい。この構成によれば、容易な方法で霧の深さを判定することができる。
【００９６】
（６）画像処理部３（または高速度カメラ８）は、視界情報を車両Ｖの運転を制御する統合制御部１００へ送信可能であることが好ましい。この構成によれば、霧等の発生時に取得された視界情報を車両Ｖの運転制御に活用することができる。
【００９７】
（７）統合制御部１００は、画像処理部３（または高速度カメラ８）から受信した視界情報に基づいて車両Ｖの走行速度の制御あるいは運転者への報知を行う。この構成によれば、霧等の発生時に取得された視界情報を車両Ｖの安全走行あるいは自動運転等に活用することができる。
【００９８】
［実施例３］
次に、本実施形態の実施例３について、図１１〜１４を参照して説明する。
図１１は、車両前方を光照射して撮像したときの従来例に係る撮像画像のイメージ図である。
図１１に示されるように、車両前方の近傍に人物Ｍ１が立っており、遠方に人物Ｍ２が立っている。このとき、従来のように、例えば夜間照明光を用いて車載カメラにより撮影を行う場合、車載カメラによる撮像画像においては車両の近傍領域からの反射光量が多いため近傍の人物Ｍ１の影像は輝度が高く、明るく撮像される。一方、車両の遠方領域からの反射光量は少なくなるため遠方の人物Ｍ２の影像は輝度が低く、暗く撮像される。すなわち、近傍の物体と遠方の物体とでは輝度の差が大きくコントラストが高くなるため、遠方の物体の視認性が劣る。
【００９９】
そこで、本出願の発明者は、上記事情を総合的に考慮して、車両Ｖの近傍領域の撮像画像と遠方領域の撮像画像との画素の輝度が同等となるような方法で撮像可能とすることでコントラストの差を少なくし、遠方領域の物体の視認性を向上させることを見出した。以下に、車両Ｖの近傍領域と遠方領域とを同等コントラストで撮像するための方法について詳述する。
【０１００】
図１２は、実施例３に係る発光周期および撮像周期のタイミングチャートであって、特に発光強度が変化する例を示す図である。
実施例３においては、発光部５は、ターゲット距離領域のうち遠方領域を撮像する場合のパルス光の発光強度が、近傍領域を撮像する場合の発光強度よりも高くなるように制御される。具体的には、パルス光の発光強度は、撮像対象距離が車両Ｖから離れるにつれて徐々に高くなるようにリニアに変化可能とされている。領域１（車両Ｖから１０ｍ前後の領域）における発光強度は、例えば１００ｌｍ（ルーメン）であり、領域ｎ（車両Ｖから１００ｍ前後の領域）における発光強度は、例えば１０００ｌｍである。このように、ターゲット距離領域の距離（撮像対象距離）に応じて発光強度を徐々に高くすることで、各領域における撮像画像に存在する物体の位置に対応する画素の輝度の差が少なくなる。
【０１０１】
図１３は、実施例３に係る近傍画像および遠方画像と、近傍画像と遠方画像を合成した合成画像のイメージ図である。
例えば、図１３に示されるように、近傍領域を撮像したときの近傍画像では、図１１の従来例と同様に近傍領域からの反射光量が多いため近傍の人物Ｍ１が明るく撮像される（このとき、遠方の人物Ｍ２からの反射光は撮像されない）。また、遠方領域を撮像したときの遠方画像では、近傍領域よりも発光強度が高いパルス光が照射されているため人物Ｍ２からの反射光量は図１１の従来例よりも多くなる。これにより、遠方の人物Ｍ２も近傍画像での人物Ｍ１と同等に明るく撮像される（このとき、近傍の人物Ｍ１からの反射光は撮像されない）。画像処理部３は、このように発光強度が撮像対象距離に応じて徐々に高くされたパルス光の反射光を撮像することで取得された近傍画像と遠方画像とを合成して、図１３に示される合成画像（距離画像データ）を生成する。合成画像では、近傍の人物Ｍ１と遠方の人物Ｍ２とがほぼ同等の輝度を有している。
【０１０２】
以上説明した実施例３の画像取得装置２によれば、以下に列挙する効果を奏する。
【０１０３】
（８）発光部５は、ターゲット距離領域のうち、遠方領域を撮像する場合のパルス光の発光強度が、近傍領域の撮像する場合の発光強度よりも高くなるように制御される。これにより、近傍の物体と遠方の物体との画素の輝度の差が少ない距離画像データ（合成画像）を取得することができる。したがって、近傍領域と遠方領域とを同等コントラストで撮像することが可能となり、良好な画像を取得することができる。
【０１０４】
（９）パルス光の発光強度は、ターゲット距離領域の距離に応じてリニアに変化可能であることが好ましい。この構成によれば、ターゲット距離領域の全範囲にわたって均一なコントラストの画像を取得することができる。
【０１０５】
なお、上記のように生成された図１３の合成画像を、車両Ｖに備わる各種装置に表示することができる。例えば、図１４の（Ａ）〜（Ｃ）に示されるように、カーナビゲーションシステムの表示部や、メーターパネル内の表示部、ルームミラーの一部に搭載される表示部など、車両Ｖの運転者が視認しやすい位置に合成画像を表示させることで夜間や雨天時などの安全性向上へ寄与することができる。
【０１０６】
［実施例４］
次に、本実施形態の実施例４について、図１５を参照して説明する。
図１５は、実施例４に係る発光周期および撮像周期のタイミングチャートであって、特に発光時間が変化する例を示す図である。
実施例４においては、発光部５は、ターゲット距離領域のうち遠方領域を撮像する場合のパルス光の発光時間が、近傍領域の撮像する場合の発光時間よりも長くなるように制御される。具体的には、パルス光の発光時間は、撮像対象距離が車両Ｖから離れるにつれて徐々に長くなるようにリニアに変化可能とされている。例えば、領域１（車両Ｖから１０ｍ前後の領域）における発光時間（図２の時間ｔＬ）は、１０μｓであり、領域ｎ（車両Ｖから１００ｍ前後の領域）における発光時間は２０μｓである。
【０１０７】
このように、ターゲット距離領域の距離に応じて発光時間を徐々に長くすることで、各領域における撮像画像に存在する物体の位置に対応する画素の輝度の差が少なくなる。実施例３と同様に、画像処理部３は、発光時間を可変として取得された近傍画像と遠方画像とを合成して、合成画像を生成する。したがって、実施例４においても、近傍の物体と遠方の物体との画素の輝度の差が少ない均一なコントラストの合成画像を取得することができる。
【０１０８】
［実施例５］
次に、本実施形態の実施例５について、図１６を参照して説明する。
図１６は、実施例５に係る発光周期および撮像周期のタイミングチャートであって、特に発光回数および撮像回数が変化する例を示す図である。
実施例５においては、ターゲット距離領域のうち遠方領域を撮像する場合のパルス光の発光回数が、近傍領域の撮像する場合の発光回数よりも多くなるように発光部５が制御されるとともに、当該発光回数に応じて遠方領域を撮像する場合のゲート７ａのゲート開放回数（撮像回数）も近傍領域を撮像する場合のゲート開放回数よりも多くなるように制御される。具体的には、パルス光の発光回数および撮像回数は、撮像対象距離が車両Ｖから離れるにつれて徐々に多くなるようにリニアに変更可能とされている。領域１（車両Ｖから１０ｍ前後の領域）における１フレーム中の発光／撮像回数は、例えば１００回であり、領域ｎ（車両Ｖから１００ｍ前後の領域）における１フレーム中の発光／撮像回数は例えば１００００回である。
【０１０９】
このように、ターゲット距離領域の距離が離れるにつれて発光／撮像回数を徐々に多くすることで、領域ごとに蓄積される電荷の量が徐々に増えるため、各領域における撮像画像に存在する物体の位置に対応する画素の輝度の差が少なくなる。実施例３と同様に、画像処理部３は、発光／撮像回数を可変として取得された近傍画像と遠方画像とを合成して、合成画像を生成する。したがって、実施例５においても、近傍の物体と遠方の物体との画素の輝度の差が少ない均一なコントラストの合成画像を取得することができる。
【０１１０】
以上、本開示を実施するための形態を、実施例１〜５に基づき説明したが、本開示の具体的な構成については、各実施例の構成に限らず、特許請求の範囲の各請求項に係る発明の要旨を逸脱しない限り、設計変更や追加等は許容される。
【０１１１】
例えば、撮像対象長さ、撮像対象距離の変化量、ターゲット距離領域ごとのフレーム数などは、高速度カメラ８や画像処理部３の性能に応じて適宜設定することができる。
【０１１２】
上記実施の形態では、図１に示されるように、高速度カメラ８が画像取得部として機能する構成としているが、この例に限られない。例えば、画像取得部としての機能を画像処理部３が有していても良く、あるいは高速度カメラ８と画像処理部３との間に画像取得部として撮像画像を格納する別個のメモリが設けられても良い。
【０１１３】
上記実施の形態では、図１に示されるように、対物レンズ６と高速度カメラ８との間に光増倍部７（ゲート７ａ、イメージインテンシファイア７ｂ）が設けられた構成としているが、この例に限られない。例えば、光増倍部７を設けず、高速度カメラ８内で所定の撮像タイミングでゲーティングを行って複数の撮像画像を取得することも可能である。
【０１１４】
上記実施の形態では、画像処理部３により距離画像データを生成することで物体認識を行う構成としているが、高速度カメラ８で撮像された個々のターゲット距離の撮像画像から物体認識を行っても良い。
【０１１５】
上記実施例２においては、特に霧の深さに関する情報を視界情報として取得しているが、霧の他に雨や雪などの悪天候時の視界情報を取得するようにしても良い。
【０１１６】
上記の実施例３〜５においては、パルス光の発光強度、発光時間、発光回数をそれぞれ別個に変化させて距離画像データを生成する構成を例示しているが、パルス光の発光強度、発光時間、発光回数のうち少なくとも２つを組み合わせて撮像対象距離に応じて変化させるようにしてもよい。変更させるパラメータを組み合わせることで、遠近同等コントラストの合成画像をより効率的に生成することができる。
【０１１７】
本出願は、２０１５年１２月２１日出願の日本特許出願・出願番号２０１５−２４８８２６と、２０１５年１２月２１日出願の日本特許出願・出願番号２０１５−２４８８２７と、２０１５年１２月２１日出願の日本特許出願・出願番号２０１５−２４８８２８とに基づくものであり、その内容はここに参照として取り込まれる。
【図１】
2017110417.tif 000003
【図２】
2017110417.tif 000004
【図３】
2017110417.tif 000005
【図４】
2017110417.tif 000006
【図５】
2017110417.tif 000007
【図６】
2017110417.tif 000008
【図７】
2017110417.tif 000009
【図８】
2017110417.tif 000010
【図９】
2017110417.tif 000011
【図１０】
2017110417.tif 000012
【図１１】
2017110417.tif 000013
【図１２】
2017110417.tif 000014
【図１３】
2017110417.tif 000015
【図１４】
2017110417.tif 000016
【図１５】
2017110417.tif 000017
【図１６】
2017110417.tif 000018
【国際調査報告】
2017110417.tif 000019
2017110417.tif 000020
2017110417.tif 000021
2017110417.tif 000022
2017110417.tif 000023
2017110417.tif 000024
2017110417.tif 000025
2017110417.tif 000026
2017110417.tif 000027